(57)【特許請求の範囲】
【請求項１】
洗濯物を収容する洗濯兼脱水槽と、この洗濯兼脱水槽を回転自在に収容した受け槽と、前記洗濯兼脱水槽を回転駆動する駆動手段と、前記洗濯兼脱水槽の上部を構成し回転時のアンバランスを矯正する環状のバランサーと、前記洗濯兼脱水槽内に水を給水する給水弁とを備え、前記バランサーの下部には洗剤投入口が設けられ、前記洗剤投入口には、開時において上面に洗剤を載置し閉じることで前記洗剤を前記洗剤投入口へ案内ガイドし前記洗剤投入口から前記洗濯兼脱水槽と前記受け槽との間に直接投入するための案内カバーを開閉自在に設け、前記案内カバーを閉状態にすることで前記案内カバーと前記バランサーとにより洗剤通路部が形成され、前記洗剤通路部の上方には注水受け口を設け、給水時において、前記洗濯兼脱水槽を回転させるとともに前記給水弁からの給水が前記注水受け口から前記洗剤通路部の内部に流入するように構成した洗濯機。
【請求項２】
注水受け口は、複数の注水穴よりなり、かつ洗濯兼脱水槽の逆回転方向側の前記注水穴の稜壁に注水受けリブを設けた請求項１記載の洗濯機。
【請求項３】
洗剤投入を案内ガイドする開閉自在な案内カバーの開時において、前記案内カバーの洗剤投入口側の先端面と前記洗剤投入口の上面とを接触させるように構成した請求項１記載の洗濯機。
【請求項４】
洗剤投入口の下部に、上方へ突出するポケット状壁を設け、洗剤投入を案内ガイドする着脱自在な案内カバーの取り外し時において、洗濯兼脱水槽の内側からの洗濯水が洗剤投入口へ流入しないように構成した請求項１記載の洗濯機。
【発明の詳細な説明】
【０００１】
【発明の属する技術分野】
本発明は、洗濯物と洗剤を投入して洗濯する洗濯機に関するものである。
【０００２】
【従来の技術】
従来、この種の洗濯機は図７に示すように構成していた。以下、その構成について説明する。
【０００３】
図に示すように、受け槽１は、底部にパルセーター２を回転自在に配設した洗濯兼脱水槽３を回転自在に内包し、吊り棒４により洗濯機外枠５に吊り下げている。パルセーター２の裏面には裏羽根２ａを一体に形成しており、裏羽根２ａの外周にはこれを覆うようにポンプ室６が形成され、複数の送水路７に連通している。
【０００４】
複数の送水路７の上部には、洗濯兼脱水槽３の内部に向けて開口した複数の散水口８を設けてあり、送水路７を上昇した洗濯水が洗濯兼脱水槽３の内部に散水されるように構成している。モータ９は、Ｖベルト１０および減速機構兼クラッチ１１を介して、パルセーター２または洗濯兼脱水槽３を駆動する。排水弁１２は洗濯兼脱水槽３内の洗濯水を排水し、給水弁１３は洗濯兼脱水槽３内に給水するものである。洗濯兼脱水槽３には脱水時の振動を低減させるための流体バランサー１４を設け、洗濯兼脱水槽３の上部には蓋１５を開閉自在に配設している。
【０００５】
制御装置１６は、モータ９、排水弁１２、給水弁１３などを制御して、洗濯、すすぎ、脱水の各行程を逐次制御するものである。
【０００６】
上記構成において動作について説明すると、洗濯兼脱水槽３に洗濯物と洗剤を投入した後、洗濯を開始すると制御装置１６により給水弁１３を制御して洗濯兼脱水槽３内に所定量の水が給水され、その後制御装置１６により、モータ９を制御してパルセーター２が回転する。
【０００７】
パルセーター２の回転によって洗濯兼脱水槽３内の洗濯物と水とが撹拌され、この攪拌によって洗剤が徐々に溶解して洗濯水となり、洗濯物の汚れに作用することとなる。また、パルセーター２の回転時にはパルセーター２の裏羽根２ａが回転して、ポンプ室６より送水路７に洗濯水が送水され、送水路７の上部に設けた散水口８より洗濯兼脱水槽３の内部に向けて洗濯水が散水される。この散水口８からの散水によって洗濯水を循環しながら、洗濯を行うことができる。
【０００８】
【発明が解決しようとする課題】
しかしながら、このような従来の構成では、洗剤の溶解性を高め、洗濯物の汚れ除去性能を高めるために、洗濯水の循環量を増大させると、洗濯時間内においてパルセーター２の回転比率を高くしなければならず、このことは同時に洗濯物を攪拌する比率を高めることにつながる。洗濯物を攪拌する比率が高くなると、洗濯物相互間の摩擦や洗濯物とパルセーター２の表面との摩擦が増大することになり、洗濯物を従来より傷めてしまうという問題を有していた。
【０００９】
本発明は上記従来の課題を解決するもので、洗濯開始時に洗剤溶解性を高め、洗濯物を傷めることなく、洗濯性能を向上するとともに洗いむらを低減し、さらに洗濯時間を短縮することを目的としている。
【００１０】
【課題を解決するための手段】
本発明は上記目的を達成するために、洗濯物を収容する洗濯兼脱水槽を受け槽内に回転自在に収容し、洗濯兼脱水槽を駆動手段により回転駆動するよう構成し、洗濯兼脱水槽と受け槽との間に洗剤を直接投入し、洗濯兼脱水槽を回転させて洗剤を溶解するように構成したものである。
【００１１】
これにより、洗濯開始時からの洗濯兼脱水槽の回転により、洗濯兼脱水槽の外側と受け槽との間の攪拌作用によって洗剤の溶解性を高めることができ、洗濯物を傷めずに洗濯性能を向上できるとともに洗いむらを低減することができ、さらに洗濯時間を短縮することが可能となる。
【００１２】
【発明の実施の形態】
本発明の請求項１に記載の発明は、洗濯物を収容する洗濯兼脱水槽と、この洗濯兼脱水槽を回転自在に収容した受け槽と、前記洗濯兼脱水槽を回転駆動する駆動手段と、前記洗濯兼脱水槽の上部を構成し回転時のアンバランスを矯正する環状のバランサーと、前記洗濯兼脱水槽内に水を給水する給水弁とを備え、前記バランサーの下部には洗剤投入口が設けられ、前記洗剤投入口には、開状態で上面に洗剤を載置し閉じることで前記洗剤を前記洗剤投入口へ案内ガイドし前記洗剤投入口から前記洗濯兼脱水槽と前記受け槽との間に直接投入するための案内カバーを開閉自在に設け、前記案内カバーを閉状態にすることで前記案内カバーと前記バランサーとにより洗剤通路部が形成され、前記洗剤通路部の上方には注水受け口を設け、給水時において、前記洗濯兼脱水槽を回転させるとともに前記給水弁からの給水が前記注水受け口から前記洗剤通路部の内部に流入するように構成したものであり、洗濯開始時からの洗濯兼脱水槽の回転により、洗濯兼脱水槽の外側と受け槽との間の攪拌作用によって洗剤の溶解性を高めることができ、洗濯物を傷めずに洗濯性能を向上できるとともに洗いむらを低減することができ、さらに洗濯時間を短縮することが可能となる。また、案内カバーを開いて案内カバー上に洗剤を載置し、案内カバーを閉じることにより洗剤を洗濯兼脱水槽と受け槽との間に投入することができ、洗剤投入の操作勝手がよく、掃除性、メンテナンスなどを向上することができる。さらに、給水時に注水受け口より洗剤通路部内に給水を流入させることができ、案内カバーを閉じることにより洗剤を洗濯兼脱水槽と受け槽との間に投入したとき、案内カバー上に洗剤が残っていても流し出すことができ、洗剤通路部の残洗剤を防止することができる。
【００１３】
請求項２に記載の発明は、上記請求項１に記載の発明において、注水受け口は、複数の注水穴よりなり、かつ洗濯兼脱水槽の逆回転方向側の前記注水穴の稜壁に注水受けリブを設けたものであり、洗濯兼脱水槽を回転させながら給水するときの給水量が少ない場合でも、注水受けリブにより洗剤通路部内に有効的に給水を流入することができ、案内カバー上に洗剤が残っていても流し出すことができ、洗剤通路部の残洗剤を防止することができる。
【００１４】
請求項３に記載の発明は、上記請求項１に記載の発明において、洗剤投入を案内ガイドする開閉自在な案内カバーの開時において、前記案内カバーの洗剤投入口側の先端面と洗剤投入口の上面とを接触させるように構成したものであり、案内カバーの開時には、洗剤投入口は、必ず案内カバーの洗剤投入口側の先端部によって閉まった状態になるため、洗剤投入時の異物投入を未然に防止することができる。
【００１５】
請求項４に記載の発明は、上記請求項１に記載の発明において、洗剤投入口の下部に、上方へ突出するポケット状壁を設け、洗剤投入を案内ガイドする着脱自在な案内カバーの取り外し時において、洗濯兼脱水槽の内側からの洗濯水が洗剤投入口へ流入しないように構成したものであり、案内カバー装着忘れ時等において、洗剤投入口からの異物侵入を未然に防止することができる。
【００１６】
【実施例】
以下、本発明の実施例について、図面を参照しながら説明する。
【００１７】
（実施例１）
図１に示すように、受け槽１７は、底部にパルセーター１８を回転自在に配設した洗濯兼脱水槽１９を回転自在に内包し、吊り棒２０により洗濯機外枠２１に吊り下げている。モータ（駆動手段）２２は、Ｖベルト２３および減速機構２４を介して洗濯兼脱水槽１９を回転駆動する。給水弁２５は、洗濯兼脱水槽１９内に水を給水するものであり、水位検知手段２６は、受け槽１７内の水位を検知するもので、排水弁２７は水受け槽１７内の洗濯水を排水するものである。
【００１８】
洗剤通路部２８は、脱水時の振動を低減する環状のバランサー２９の下部より洗濯兼脱水槽１９と受け槽１７との間に洗剤を直接投入できるように構成している。
【００１９】
制御装置３０は、モータ２２、給水弁２５、排水弁２７などを制御して、洗濯、すすぎ、脱水の各行程を逐次制御するとともに、運転開始後、給水時に洗濯兼脱水槽１９を回転させ、洗濯兼脱水槽１９の外側と受け槽１７との間の攪拌作用により、洗濯兼脱水槽１９と受け槽１７との間に投入した洗剤を溶解するように構成している。
【００２０】
上記構成において動作を説明すると、洗濯兼脱水槽１９に洗濯物を投入し、洗剤通路部２８を通して洗濯兼脱水槽１９と受け槽１７との間に粉末合成洗剤（液体洗剤でも可）を投入し、運転を開始する。
【００２１】
運転を開始すると、制御装置３０によって給水弁２５が動作し、図１の矢印Ａに示すように、洗濯兼脱水槽１９内に水が給水される。同時に洗濯兼脱水槽１９は回転を始め、給水しながら洗濯兼脱水槽１９の外側と受け槽１７との間の攪拌作用によって洗剤を溶解する。水位検知手段２６により所定水位を検知すると、制御装置３０に信号が送られ、給水弁２５が動作を停止する。その後、制御装置３０によってモータ２２が動作し、パルセーター１８を回転させて洗濯動作を開始する。
【００２２】
したがって、運転開始時から給水と同時に、洗濯兼脱水槽１９の回転により、洗濯兼脱水槽１９外側と受け槽１７との間の攪拌によって、洗剤を強制的に溶解させるように構成しているため、洗剤の溶解性を高めることができ、洗濯物を傷めずに洗濯性能を向上できるとともに洗いむらを低減することができ、さらに洗濯時間を短縮することが可能となる。
【００２３】
（実施例２）
図２および図３に示すように、環状のバランサー２９ａは、洗濯兼脱水槽１９ａの上部を構成し、回転時のアンバランスを矯正するもので、このバランサー２９ａの下部に洗剤投入口３１を設けている。案内カバー３２は、洗剤投入口３１に洗剤を案内ガイドするもので、この案内カバー３２に設けた軸３３を洗剤投入口３１の内側に設けた案内溝３４に挿入することにより、図２の二点鎖線で示すように開閉自在で、かつ着脱自在に取着し、洗剤投入口３１から洗濯兼脱水槽１９ａと受け槽１７との間に洗剤を投入するように構成している。
【００２４】
注水受け口３５は、案内カバー３２により形成した洗剤通路部３６の上方に設け、この注水受け口３５より給水を流入するように構成している。この注水受け口３５は、複数の注水穴３７よりなり、かつ洗濯兼脱水槽１９ａの逆回転方向側の注水穴３７の稜壁に注水受けリブ３８を設けている。
【００２５】
また、案内カバー３２は、図４に示すように、案内カバー３２を開いた状態で、案内カバー３２の先端面３９と洗剤投入口３１の上面４０とを接触させるように構成している。また、図５に示すように、洗剤投入口３１にポケット状壁４１を設け、案内カバー３２を取り外したとき、少なくとも洗濯兼脱水槽１９ａの内側（矢印Ｂ）からの洗濯水が洗剤投入口３１へ流入しないように構成している。他の構成は上記実施例１と同じである。
【００２６】
上記構成において動作を説明する。粉末合成洗剤（液体洗剤でも可）を投入するとき、図４に示すように、案内カバー３２を開いて、案内カバー３２上に洗剤４２を載置し、案内カバー３２を図２に示すように閉じると、洗剤４２は洗剤投入口３１から洗濯兼脱水槽１９ａと受け槽１７との間に投入される。
【００２７】
つぎに、運転を開始すると、制御装置３０によって給水弁２５が動作し、洗濯兼脱水槽１９ａ内に水が給水される。同時に洗濯兼脱水槽１９ａは回転を始め、給水しながら洗濯兼脱水槽１９ａの外側と受け槽１７との間の攪拌作用によって洗剤を溶解する。水位検知手段２６により所定水位を検知すると、制御装置３０に信号が送られ、給水弁２５が動作を停止する。その後、制御装置３０によってモータ２２が動作し、パルセーター１８を回転させて洗濯動作を開始する。
【００２８】
したがって、案内カバー３２を開いて案内カバー３２上に洗剤４２を載置し、案内カバー３２を閉じることにより洗剤４２を洗濯兼脱水槽１９ａと受け槽１７との間に投入することができ、洗剤投入の操作勝手がよく、掃除性、メンテナンスなどを向上することができる。
【００２９】
また、案内カバー３２により形成する洗剤通路部３６の上方に注水受け口３５を設け、この注水受け口３５より給水を流入することにより、給水時に注水受け口３５より洗剤通路部３６内に給水を流入させることができ、案内カバー３２を閉じることにより洗剤４２を洗濯兼脱水槽１９ａと受け槽１７との間に投入したとき、案内カバー３２上に洗剤が残っていても流し出すことができ、洗剤通路部３６の残洗剤を防止することができる。
【００３０】
また、注水受け口３５を複数の注水穴３７で構成し、洗濯兼脱水槽１９ａの逆回転方向側の注水穴３７の稜壁に注水受けリブ３８を設けているので、図６に示すように、洗濯兼脱水槽１９ａを回転させながら給水するときのの給水量が少ない場合でも、注水受けリブ３８により洗剤通路部３６内に有効的に給水を流入することができ、案内カバー３２上に洗剤が残っていても流し出すことができ、洗剤通路部３６の残洗剤を防止することができる。
【００３１】
また、案内カバー３２は、案内カバー３２を開いた状態で、案内カバー３２の先端面３９と洗剤投入口３１の上面４０とを接触させるように構成しているので、案内カバー３２の開時には、必ず案内カバー３２の先端部３９は閉まった状態になるため、洗剤投入時の異物投入を未然に防止することができる。
【００３２】
また、洗剤投入口３１にポケット状壁４１を設け、案内カバー３２を取り外したとき、少なくとも洗濯兼脱水槽１９ａの内側からの洗濯水が洗剤投入口３１へ流入しないように構成しているので、案内カバー３２を装着忘れたときなどにおいて、洗剤投入口３１からの異物侵入を未然に防止することができる。
【００３３】
【発明の効果】
以上のように本発明の請求項１に記載の発明によれば、洗濯物を収容する洗濯兼脱水槽と、この洗濯兼脱水槽を回転自在に収容した受け槽と、前記洗濯兼脱水槽を回転駆動する駆動手段と、前記洗濯兼脱水槽の上部を構成し回転時のアンバランスを矯正する環状のバランサーと、前記洗濯兼脱水槽内に水を給水する給水弁とを備え、前記バランサーの下部には洗剤投入口が設けられ、前記洗剤投入口には、開時において上面に洗剤を載置し閉じることで前記洗剤を前記洗剤投入口へ案内ガイドし前記洗剤投入口から前記洗濯兼脱水槽と前記受け槽との間に直接投入するための案内カバーを開閉自在に設け、前記案内カバーを閉状態にすることで前記案内カバーと前記バランサーとにより洗剤通路部が形成され、前記洗剤通路部の上方には注水受け口を設け、給水時において、前記洗濯兼脱水槽を回転させるとともに前記給水弁からの給水が前記注水受け口から前記洗剤通路部の内部に流入するように構成したから、洗濯開始時からの洗濯兼脱水槽の回転により、強制的に洗剤の溶解性を高めることができ、洗濯物を傷めずに洗濯性能を向上できるとともに洗いむらを低減することができ、さらに洗濯時間を短縮することが可能となる。また、洗剤を洗濯兼脱水槽と受け槽との間に容易に投入することができ、洗剤投入の操作勝手がよく、掃除性、メンテナンスなどを向上することができる。さらに、給水時に注水受け口より洗剤通路部内に給水を流入させることができ、案内カバー上に洗剤が残っていても流し出すことができ、洗剤通路部の残洗剤を防止することができる。
【００３４】
また、請求項２に記載の発明によれば、注水受け口は、複数の注水穴よりなり、かつ洗濯兼脱水槽の逆回転方向側の前記注水穴の稜壁に注水受けリブを設けたから、洗濯兼脱水槽を回転させながら給水するときのの給水量が少ない場合でも、注水受けリブにより洗剤通路部内に有効的に給水を流入することができ、案内カバー上に洗剤が残っていても流し出すことができ、洗剤通路部の残洗剤を防止することができる。
【００３５】
また、請求項３に記載の発明によれば、洗剤投入を案内ガイドする開閉自在な案内カバーの開時において、前記案内カバーの洗剤投入口側の先端面と前記洗剤投入口の上面とを接触させるように構成したから、案内カバーの開時には、洗剤投入口は、必ず案内カバーの洗剤投入口側の先端部によって閉まった状態になるため、洗剤投入時の異物投入を未然に防止することができる。
【００３６】
また、請求項４に記載の発明によれば、洗剤投入口の下部に、上方へ突出するポケット状壁を設け、洗剤投入を案内ガイドする着脱自在な案内カバーの取り外し時において、洗濯兼脱水槽の内側からの洗濯水が洗剤投入口へ流入しないように構成したから、案内カバー装着忘れ時等において、洗剤投入口からの異物侵入を未然に防止することができる。
【図面の簡単な説明】
【図１】  本発明の第１の実施例の洗濯機の縦断面図
【図２】  本発明の第２の実施例の洗濯機の要部断面図
【図３】  同洗濯機の要部分解斜視図
【図４】  同洗濯機の案内カバーを開いた状態の要部断面図
【図５】  同洗濯機の案内カバーを取り外した状態の要部断面図
【図６】  同洗濯機の要部斜視図
【図７】  従来の洗濯機の縦断面図
【符号の説明】
１７  受け槽
１９  洗濯兼脱水槽
２２  モータ（駆動手段）
【図１】
0004013380.tif 000002
【図２】
0004013380.tif 000003
【図３】
0004013380.tif 000004
【図４】
0004013380.tif 000005
【図５】
0004013380.tif 000006
【図６】
0004013380.tif 000007
【図７】
0004013380.tif 000008